(57)【要約】  シャフト（１２）及びヘッド（１４）を含むテント用ペグ（１０）。ヘッド（１４）は、複数のテント用ペグ（１０）を一緒に連結可能であるように更なるテント用ペグ（１０）のシャフト（１２）を受け入れる開口（３２、３４）を含む。【選択図】図１
2013540920.tif 000002
【特許請求の範囲】
【請求項１】
シャフト及びヘッドを含むテント用ペグであって、前記ヘッドは、複数のテント用ペグを一緒に連結可能であるように更なるテント用ペグの前記シャフトを受け入れる開口を含む、テント用ペグ。
【請求項２】
前記ヘッドは、アームが延出している本体を含み、該アームは前記開口を含む、請求項１に記載のテント用ペグ。
【請求項３】
前記アームは、前記本体に隣接している第１の開口、及び該アームの該第１の開口と遠位端との間に位置付けられている第２の開口を含み、それによって、第１の更なるテント用ペグの前記シャフトを前記テント用ペグの前記第１の開口に反対の向きで受け入れ可能であり、第２の更なるテント用ペグの前記シャフトを前記第２の開口に前記テント用ペグと同じ向きで受け入れ可能であり、前記第２の更なるテント用ペグの前記シャフトは、前記第１の更なるテント用ペグの前記第１の開口に受け入れ可能である、請求項２に記載のテント用ペグ。
【請求項４】
前記第２の開口は、２つの更なるテント用ペグの前記シャフトを受け入れる細長い開口を含み、それによって、第３の更なるテント用ペグの前記シャフトを、前記第２の開口を通して前記テント用ペグとは反対の向きで、また前記第１の更なるテント用ペグの前記第２の開口及び前記第２の更なるテント用ペグの前記第１の開口を通して受け入れ可能である、請求項３に記載のテント用ペグ。
【請求項５】
前記アームは、前記円筒形の本体から概ね径方向に延出し、該本体から、前記シャフトの長手方向軸から概ね垂直に延出する第１の部分、及び該第１の部分に対して或る角度で延びる第２の部分であって、前記シャフトの第２の端に向かって斜めになっている、第２の部分を含む、請求項４に記載のテント用ペグ。
【請求項６】
前記第１の部分は前記第１の開口を含み、前記第２の部分は前記第２の開口を含む、請求項５に記載のテント用ペグ。
【請求項７】
前記本体は、前記シャフトを受け入れる長手方向開口を有する円筒形の本体を含み、前記シャフトは、使用時に前記円筒形の本体内に受け入れられて固定される拡径端部を含む、請求項２〜６のいずれか一項に記載のテント用ペグ。
【請求項８】
前記本体は、縮径した首部分を含み、それによって、前記シャフトを開口に摺動させることができるが、前記首部分が前記シャフトの前記拡径端の通過を制限する、請求項７に記載のテント用ペグ。
【請求項９】
前記拡径端の頂部が前記ヘッドの前記本体の上に突出しており、それによって、該頂部を、前記テント用ペグを地中に打ち込む工具によって打つことができる、請求項７又は８に記載のテント用ペグ。
【請求項１０】
前記ヘッドはプラスチック材料から作られ、前記シャフトは金属から作られる、請求項９に記載のテント用ペグ。
【請求項１１】
前記ヘッドは、色鮮やかな材料及び／又は暗闇で光る材料から作られる、請求項１〜１０のいずれか一項に記載のテント用ペグ。
【発明の詳細な説明】
【技術分野】
【０００１】
本発明はテント用ペグに関する。
【背景技術】
【０００２】
テントを地面に固定するのに用いられるテント用ペグは、使用中又は運搬中に紛失しやすい。テント用ペグは、使用後に、草又は他の地被植物の中から見つけにくいことに起因して、地面に残されたままとなる可能性がある。見つけられて取り出されるテント用ペグの場合、ペグは、テントが分解される間に単に積み重ねて置かれることが多い。ペグは次いで、運搬のために通常は集めて袋に入れられる。このプロセスも、テント用ペグの紛失につながる可能性があり、次回テントを使用することになるまでこの紛失には気が付かない可能性がある。
【発明の概要】
【発明が解決しようとする課題】
【０００３】
本発明は、より簡単な保管及び運搬を提供するとともにペグが紛失する可能性を低減することを目的とするテント用ペグに関する。
【課題を解決するための手段】
【０００４】
本発明の１つの態様によると、シャフト及びヘッドを含むテント用ペグであって、ヘッドは、複数のテント用ペグを一緒に連結可能であるように更なるテント用ペグのシャフトを受け入れる開口を含む、テント用ペグが提供される。
【０００５】
好ましくは、ヘッドは、アームが延出している本体を含み、アームは開口を含む。
【０００６】
好ましい実施の形態では、アームは、本体に隣接している第１の開口、及びアームの第１の開口と遠位端との間に位置付けられている第２の開口を含み、それによって、第１の更なるテント用ペグのシャフトをテント用ペグの第１の開口に反対の向きで受け入れ可能であり、第２の更なるテント用ペグのシャフトを第２の開口にテント用ペグと同じ向きで受け入れ可能であり、第２の更なるテント用ペグのシャフトは、第１の更なるテント用ペグの第１の開口に受け入れ可能である。
【０００７】
好ましくは、第２の開口は、２つの更なるテント用ペグのシャフトを受け入れる細長い開口を含み、それによって、第３の更なるテント用ペグのシャフトを、第２の開口を通してテント用ペグとは反対の向きで、また第１の更なるテント用ペグの第２の開口及び第２の更なるテント用ペグの第１の開口を通して受け入れ可能である。
【０００８】
好ましくは、アームは、円筒形の本体から概ね径方向に延出し、本体から、シャフトの長手方向軸から概ね垂直に延出する第１の部分、及び第１の部分に対して或る角度で延びる第２の部分であって、シャフトの第２の端に向かって斜めになっている、第２の部分を含む。
【０００９】
好ましくは、第１の部分は第１の開口を含み、第２の部分は第２の開口を含む。
【００１０】
１つの実施の形態では、本体は、シャフトを受け入れる長手方向開口を有する円筒形の本体を含み、シャフトは、使用時に円筒形の本体内に受け入れられて固定される拡径端部を含む。
【００１１】
本体は好ましくは、縮径した首部分を含み、それによって、シャフトを開口に摺動させることができるが、首部分がシャフトの拡径端の通過を制限する。
【００１２】
好ましい実施の形態では、拡径端の頂部がヘッドの本体の上に突出しており、それによって、頂部を、テント用ペグを地中に打ち込む工具によって打つことができる。
【００１３】
ヘッドは好ましくはプラスチック材料から作られ、シャフトは好ましくは金属から作られる。
【００１４】
好ましくは、ヘッドは、色鮮やかな材料及び／又は暗闇で光る材料から作られる。
【００１５】
ここで、本発明を、以下の図面を参照して一例として説明する。
【図面の簡単な説明】
【００１６】
【図１】本発明によるテント用ペグの斜視図である。
【図２】図１のテント用ペグの分解図である。
【図３ａ】図１のテント用ペグの垂直断面図である。
【図３ｂ】図１のテント用ペグの正面図である。
【図４ａ】図１のテント用ペグの上面図である。
【図４ｂ】図１のテント用ペグの側面図である。
【図４ｃ】図１のテント用ペグの上側斜視図である。
【図５】相互に連結されている図１の複数のテント用ペグの斜視図である。
【図６】図１のテント用ペグのうちの１つの据え付けを示す斜視図である。
【図７】図１のテント用ペグのうちの１つの取り出しを示す斜視図である。
【発明を実施するための形態】
【００１７】
図面を参照すると、シャフト１２及びヘッド１４を含むテント用ペグ１０が示されている。図示の実施形態では、シャフト１２及びヘッド１４は、テント用ペグ１０を形成するように一緒に連結可能である別個の構成部材である。しかし、シャフト１２及びヘッド１４を一体的に形成してもよいことが理解されるであろう。
【００１８】
シャフト１２は、金属等の好適な材料の細長いスパイクを含む。シャフト１２は、その第１の端の拡径端１６、及び第２の端のテーパー状部分１８を含む。テーパー状部分１８は、地中に打ち込まれるように設けられている。
【００１９】
ヘッド１４は、長手方向開口２２を有する本体２０を含む。図示の実施形態では、本体２０は円筒形の本体を含む。長手方向開口２２は、シャフト１２を受け入れるように設けられている。シャフト１２は、第２の端を先にして開口２２内に挿入される。本体２０は、縮径した首部分２４を含み、それによって、シャフト１２は開口２２内を摺動することができるが、首部分２４がシャフト１２の拡径端１６の通過を制限する。したがって、シャフト１２の拡径端１６は、本体２０内に、その第１の端に隣接して保持される。
【００２０】
シャフト１２の拡径端１６は、テント用ペグ１０を地中に打ち込むために、ハンマー等の好適な道具で打つことができるように、本体２０の第１の端を通してアクセス可能である。すなわち、拡径端１６の頂部はヘッド１４の本体２０の上に突出している。衝撃はシャフト１２の拡径端１６が受けるため、ヘッド１４は、プラスチック等のより低い強度の材料から作ることができる。ヘッド１４は好ましくは、地中にあるときにテント用ペグ１０を見えやすくするように色鮮やかなプラスチックから作られる。ヘッド１４は、暗闇で光る材料から作ることもできる。
【００２１】
ヘッド１４は、外方へ延出しているアーム２６を含む。図示の実施形態のアーム２６は、ヘッド１４の、本体２０の第２の端と首部分２４との間から外方へ延出している。アーム２６は円筒形の本体２０から概ね径方向に延出している。
【００２２】
アーム２６は、第１の部分２８及び第２の部分３０を含む。第１の部分２８は、本体２０から、シャフト１２の長手方向軸から概ね垂直に延出している。第２の部分３０は、第１の部分２８に対して或る角度で延びており、シャフト１２の第２の端に向かって斜めになっている。使用時には、アーム２６は、テント用ペグ１０の周りに固定されるロープを、アーム２６と地面との間で既知の方法で捕える。
【００２３】
アーム２６は、使用されていないときに複数のテント用ペグ１０を一緒に固定することができるように、更なるテント用ペグ１０のシャフトを受け入れる少なくとも１つの開口を含む。
【００２４】
テント用ペグ１０のアーム２６は、本体２０に隣接するアーム２６の第１の部分２８に設けられている第１の開口３２を含む。第１の開口３２は、第１の更なるテント用ペグ１０’の第２の端を受け入れるように設けられている。第１の更なるテント用ペグ１０’の第２の端は、第１の更なるテント用ペグ１０’のヘッド１４がシャフト１２の第２の端１８に隣接して位置付けられるように、本体２０の第２の端に隣接する側から第１の開口３２内に挿入される。すなわち、第１の更なるテント用ペグ１０’は反対方向に配置される。
【００２５】
アーム２６は、その第２の部分３０に第２の開口３４も含む。第２の開口３４は、アーム２６の第１の開口３２と遠位端との間に設けられる。第２の開口３４は、２つの更なるテント用ペグのシャフト１２を第２の開口３４に受け入れることができるように細長い開口を含む。
【００２６】
上述したように、第１の更なるテント用ペグ１０’は、反対方向の向きで第１の開口３２に受け入れられる。次に、第２の更なるテント用ペグ１０’’が、最初のテント用ペグ１０と同じ方向の向きにされ、そのシャフト１２が第２の開口３４を通して挿入される。第２の更なるテント用ペグ１０’’のシャフト１２も、第１の更なるテント用ペグ１０’の第１の開口３２を通して受け入れられる。ヘッド１４の円筒形の本体２０の端には、（図２において見えるような）テーパー状の側面２１が設けられている。テーパー状の側面２１は、アーム２６に対して平坦に当接するようにアーム２６の第２の部分３０の角度と同じ角度で設けられる。
【００２７】
次に、第３の更なるテント用ペグ１０’’’が、第１の更なるテント用ペグ１０’と同じ方向の向きにされ、第１の更なるテント用ペグ１０’の第２の開口３４を通して挿入される。第３の更なるテント用ペグ１０’’’のシャフト１２も、最初のテント用ペグ１０の第２の開口３４及び第２の更なるテント用ペグ１０’’の第１の開口３２に受け入れられる。
【００２８】
このように、複数のテント用ペグ１０を、各テント用ペグ１０を隣接するテント用ペグ１０に対して反対の向きにした状態で（図５に示されるように）相互に連結することができる。テント用ペグ１０のそれぞれのアーム２６は、３つの更なるテント用ペグ１０のシャフト１２を受け入れる。複数の更なるテント用ペグ１０を相互に連結して各テント用ペグ１０のアーム２６に入れることによって、比較的剛性の構造体を形成する相互に連結されたテント用ペグ１０の単一の平面的な列を作る。
【００２９】
使用時に、（図６に示されるように）テント用ペグ１０を地中に挿入してテント用ペグの通常の方法で用いることができる。各テント用ペグ１０は、（図７に示されるように）テント用ペグ１０のヘッド１４を把持して地面から引き抜くことによって取り出すことができる。色鮮やかな又は光るヘッド１４が、テント用ペグ１０のそれぞれを見つけることができることに役立つ。
【００３０】
テント用ペグ１０を取り出す度に、テント用ペグ１０を上述したようにその前に取り出したテント用ペグ１０と相互に連結することができる。このように、テント用ペグ１０は単一の構造体として一緒に保持され、テント用ペグ１０が紛失する可能性が低減する。
【００３１】
当業者には、本発明の基本的な発明の概念から逸脱することなく、既に説明した変更及び改良に加えて、前述の実施形態に対して種々の変更及び改良を行うことができることが容易に明らかであろう。
【図１】
2013540920.tif 000003
【図２】
2013540920.tif 000004
【図３ａ】
2013540920.tif 000005
【図３ｂ】
2013540920.tif 000006
【図４ａ】
2013540920.tif 000007
【図４ｂ】
2013540920.tif 000008
【図４ｃ】
2013540920.tif 000009
【図５】
2013540920.tif 000010
【図６】
2013540920.tif 000011
【図７】
2013540920.tif 000012
【手続補正書】
【提出日】平成25年5月20日(2013.5.20)
【手続補正１】
【補正対象書類名】特許請求の範囲
【補正対象項目名】全文
【補正方法】変更
【補正の内容】
【特許請求の範囲】
【請求項１】
シャフト及びヘッドを含むテント用ペグであって、前記ヘッドは、アームが延出している本体を含み、該アームは、前記本体に隣接している第１の開口、及び該アームの該第１の開口と遠位端との間に位置付けられている第２の開口を含み、それによって、第１の更なるテント用ペグの前記シャフトを該テント用ペグの前記第１の開口に反対の向きで受け入れ可能であり、第２の更なるテント用ペグの前記シャフトを前記第２の開口に該テント用ペグと同じ向きで受け入れ可能であり、前記第２の更なるテント用ペグの前記シャフトは、前記第１の更なるテント用ペグの前記第１の開口に受け入れ可能である、テント用ペグ。
【請求項２】
前記第２の開口は、２つの更なるテント用ペグの前記シャフトを受け入れる細長い開口を含み、それによって、第３の更なるテント用ペグの前記シャフトを、前記第２の開口を通して前記テント用ペグとは反対の向きで、また前記第１の更なるテント用ペグの前記第２の開口及び前記第２の更なるテント用ペグの前記第１の開口を通して受け入れ可能である、請求項１に記載のテント用ペグ。
【請求項３】
前記アームは、前記円筒形の本体から概ね径方向に延出し、該本体から、前記シャフトの長手方向軸から概ね垂直に延出する第１の部分、及び該第１の部分に対して或る角度で延びる第２の部分であって、前記シャフトの第２の端に向かって斜めになっている、第２の部分を含む、請求項２に記載のテント用ペグ。
【請求項４】
前記第１の部分は前記第１の開口を含み、前記第２の部分は前記第２の開口を含む、請求項３に記載のテント用ペグ。
【請求項５】
前記本体は、前記シャフトを受け入れる長手方向開口を有する円筒形の本体を含み、前記シャフトは、使用時に前記円筒形の本体内に受け入れられて固定される拡径端部を含む、請求項１〜４のいずれか一項に記載のテント用ペグ。
【請求項６】
前記本体は、縮径した首部分を含み、それによって、前記シャフトを開口に摺動させることができるが、前記首部分が前記シャフトの前記拡径端の通過を制限する、請求項５に記載のテント用ペグ。
【請求項７】
前記拡径端の頂部が前記ヘッドの前記本体の上に突出しており、それによって、該頂部を、前記テント用ペグを地中に打ち込む工具によって打つことができる、請求項５又は６に記載のテント用ペグ。
【請求項８】
前記ヘッドはプラスチック材料から作られ、前記シャフトは金属から作られる、請求項７に記載のテント用ペグ。
【請求項９】
前記ヘッドは、色鮮やかな材料及び／又は暗闇で光る材料から作られる、請求項１〜８のいずれか一項に記載のテント用ペグ。
【手続補正２】
【補正対象書類名】明細書
【補正対象項目名】全文
【補正方法】変更
【補正の内容】
【発明の詳細な説明】
【技術分野】
【０００１】
本発明はテント用ペグに関する。
【背景技術】
【０００２】
テントを地面に固定するのに用いられるテント用ペグは、使用中又は運搬中に紛失しやすい。テント用ペグは、使用後に、草又は他の地被植物の中から見つけにくいことに起因して、地面に残されたままとなる可能性がある。見つけられて取り出されるテント用ペグの場合、ペグは、テントが分解される間に単にパイルに入っていることが多い。ペグは次いで、運搬のために通常は集めて袋に入れられる。このプロセスも、テント用ペグの紛失につながる可能性があり、次回テントを使用することになるまでこの紛失には気が付かない可能性がある。
【発明の概要】
【発明が解決しようとする課題】
【０００３】
本発明は、より簡単な保管及び運搬を提供するとともにペグが紛失する可能性を低減することを目的とするテント用ペグに関する。
【課題を解決するための手段】
【０００４】
本発明の１つの態様によると、シャフト及びヘッドを含むテント用ペグであって、ヘッドは、アームが延出している本体を含み、アームは、本体に隣接している第１の開口、及びアームの第１の開口と遠位端との間に位置付けられている第２の開口を含み、それによって、第１の更なるテント用ペグのシャフトをテント用ペグの第１の開口に反対の向きで受け入れ可能であり、第２の更なるテント用ペグのシャフトを第２の開口にテント用ペグと同じ向きで受け入れ可能であり、第２の更なるテント用ペグのシャフトは、第１の更なるテント用ペグの第１の開口に受け入れ可能である、テント用ペグが提供される。
【０００５】
好ましくは、第２の開口は、２つの更なるテント用ペグのシャフトを受け入れる細長い開口を含み、それによって、第３の更なるテント用ペグのシャフトを、第２の開口を通してテント用ペグとは反対の向きで、また第１の更なるテント用ペグの第２の開口及び第２の更なるテント用ペグの第１の開口を通して受け入れ可能である。
【０００６】
好ましくは、アームは、円筒形の本体から概ね径方向に延出し、本体から、シャフトの長手方向軸から概ね垂直に延出する第１の部分、及び第１の部分に対して或る角度で延びる第２の部分であって、シャフトの第２の端に向かって斜めになっている、第２の部分を含む。
【０００７】
好ましくは、第１の部分は第１の開口を含み、第２の部分は第２の開口を含む。
【０００８】
１つの実施の形態では、本体は、シャフトを受け入れる長手方向開口を有する円筒形の本体を含み、シャフトは、使用時に円筒形の本体内に受け入れられて固定される拡径端部を含む。
【０００９】
本体は好ましくは、縮径した首部分を含み、それによって、シャフトを開口に摺動させることができるが、首部分がシャフトの拡径端の通過を制限する。
【００１０】
好ましい実施の形態では、拡径端の頂部がヘッドの本体の上に突出しており、それによって、頂部を、テント用ペグを地中に打ち込む工具によって打つことができる。
【００１１】
ヘッドは好ましくはプラスチック材料から作られ、シャフトは好ましくは金属から作られる。
【００１２】
好ましくは、ヘッドは、色鮮やかな材料及び／又は暗闇で光る材料から作られる。
【００１３】
ここで、本発明を、以下の図面を参照して一例として説明する。
【図面の簡単な説明】
【００１４】
【図１】本発明によるテント用ペグの斜視図である。
【図２】図１のテント用ペグの分解図である。
【図３ａ】図１のテント用ペグの垂直断面図である。
【図３ｂ】図１のテント用ペグの正面図である。
【図４ａ】図１のテント用ペグの上面図である。
【図４ｂ】図１のテント用ペグの側面図である。
【図４ｃ】図１のテント用ペグの上側斜視図である。
【図５】相互に連結されている図１の複数のテント用ペグの斜視図である。
【図６】図１のテント用ペグのうちの１つの据え付けを示す斜視図である。
【図７】図１のテント用ペグのうちの１つの取り出しを示す斜視図である。
【発明を実施するための形態】
【００１５】
図面を参照すると、シャフト１２及びヘッド１４を含むテント用ペグ１０が示されている。図示の実施形態では、シャフト１２及びヘッド１４は、テント用ペグ１０を形成するように一緒に連結可能である別個の構成部材である。しかし、シャフト１２及びヘッド１４を一体的に形成してもよいことが理解されるであろう。
【００１６】
シャフト１２は、金属等の好適な材料の細長いスパイクを含む。シャフト１２は、その第１の端の拡径端１６、及び第２の端のテーパー状部分１８を含む。テーパー状部分１８は、地中に打ち込まれるように設けられている。
【００１７】
ヘッド１４は、長手方向開口２２を有する本体２０を含む。図示の実施形態では、本体２０は円筒形の本体を含む。長手方向開口２２は、シャフト１２を受け入れるように設けられている。シャフト１２は、第２の端を先にして開口２２内に挿入される。本体２０は、縮径した首部分２４を含み、それによって、シャフト１２は開口２２内を摺動することができるが、首部分２４がシャフト１２の拡径端１６の通過を制限する。したがって、シャフト１２の拡径端１６は、本体１２内に、その第１の端に隣接して保持される。
【００１８】
シャフト１２の拡径端１６は、テント用ペグ１０を地中に打ち込むために、ハンマー等の好適な道具で打つことができるように、本体１２の第１の端を通してアクセス可能である。すなわち、拡径端１６の頂部はヘッド１４の本体２０の上に突出している。衝撃はシャフト１２の拡径端１６が受けるため、ヘッド１４は、プラスチック等のより低い強度の材料から作ることができる。ヘッド１４は好ましくは、地中にあるときにテント用ペグ１０を見えやすくするように色鮮やかなプラスチックから作られる。ヘッド１４は、暗闇で光る材料から作ることもできる。
【００１９】
ヘッド１４は、外方へ延出しているアーム２６を含む。図示の実施形態のアーム２６は、ヘッド２４の、本体２０の第２の端と首部分２４との間から外方へ延出している。アーム２６は円筒形の本体２０から概ね径方向に延出している。
【００２０】
アーム２６は、第１の部分２８及び第２の部分３０を含む。第１の部分２８は、本体２０から、シャフト１２の長手方向軸から概ね垂直に延出している。第２の部分３０は、第１の部分２８に対して或る角度で延びており、シャフト１２の第２の端に向かって斜めになっている。使用時には、アーム２６は、テント用ペグ１０の周りに固定されるロープを、アーム２６と地面との間で既知の方法で捕える。
【００２１】
アーム２６は、使用されていないときに複数のテント用ペグ１０を一緒に固定することができるように、更なるテント用ペグ１０のシャフトを受け入れる少なくとも１つの開口を含む。
【００２２】
テント用ペグ１０のアーム２６は、本体２０に隣接するアーム２６の第１の部分２８に設けられている第１の開口３２を含む。第１の開口３２は、第１の更なるテント用ペグ１０’の第２の端を受け入れるように設けられている。第１の更なるテント用ペグ１０’の第２の端は、第１の更なるテント用ペグ１０’のヘッド１４がシャフト１４の第２の端１８に隣接して位置付けられるように、本体２０の第２の端に隣接する側から第１の開口３２内に挿入される。すなわち、第１の更なるテント用ペグ１０’は反対方向に配置される。
【００２３】
アーム２６は、その第２の部分１８に第２の開口３４も含む。第２の開口３４は、アーム２６の第１の開口３２と遠位端との間に設けられる。第２の開口３４は、２つの更なるテント用ペグのシャフト１２を第２の開口３４に受け入れることができるように細長い開口を含む。
【００２４】
上述したように、第１の更なるテント用ペグ１０’は、反対方向の向きで第１の開口３２に受け入れられる。次に、第２の更なるテント用ペグ１０’’が、最初のテント用ペグ１０と同じ方向の向きにされ、そのシャフト１２が第２の開口３４を通して挿入される。第２の更なるテント用ペグ１０’’のシャフト１２も、第１の更なるテント用ペグ１０’の第１の開口３２を通して受け入れられる。ヘッド１４の円筒形の本体２０の端には、（図２において見えるような）テーパー状の側面２１が設けられている。テーパー状の側面２１は、アーム２６に対して平坦に当接するようにアーム２６の第２の部分３０の角度と同じ角度で設けられる。
【００２５】
次に、第３の更なるテント用ペグ１０’’’が、第１の更なるテント用ペグ１０’と同じ方向の向きにされ、第１の更なるテント用ペグ１０’の第２の開口３４を通して挿入される。第３の更なるテント用ペグ１０’’’のシャフト１２も、最初のテント用ペグ１０の第２の開口３４及び第２の更なるテント用ペグ１０’’の第１の開口３２に受け入れられる。
【００２６】
このように、複数のテント用ペグ１０を、各テント用ペグ１０を隣接するテント用ペグ１０に対して反対の向きにした状態で（図５に示されるように）相互に連結することができる。テント用ペグ１０のそれぞれのアーム２６は、３つの更なるテント用ペグ１０のシャフト１２を受け入れる。複数の更なるテント用ペグ１０を相互に連結して各テント用ペグ１０のアーム２６に入れることによって、比較的剛性の構造体を形成する相互に連結されたテント用ペグ１０の単一の平面的な列を作る。
【００２７】
使用時に、（図６に示されるように）テント用ペグ１０を地中に挿入してテント用ペグの通常の方法で用いることができる。各テント用ペグ１０は、（図７に示されるように）テント用ペグ１０のヘッド１４を把持して地面から引き抜くことによって取り出すことができる。色鮮やかな又は光るヘッド１４が、テント用ペグ１０のそれぞれを見つけることができることに役立つ。
【００２８】
テント用ペグ１０を取り出す度に、テント用ペグ１０を上述したようにその前に取り出したテント用ペグ１０と相互に連結することができる。このように、テント用ペグ１０は単一の構造体として一緒に保持され、テント用ペグ１０が紛失する可能性が低減する。
【００２９】
当業者には、本発明の基本的な発明の概念から逸脱することなく、既に説明した変更及び改良に加えて、前述の実施形態に対して種々の変更及び改良を行うことができることが容易に明らかであろう。
【国際調査報告】
2013540920.tif 000013
2013540920.tif 000014